【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
径の異なるコインを投入するコイン受口と、
前記コイン受口内に通じ、上部の一部に突出部を有する鉛直面部と、
前記コイン受口の手前側または奥側に設けられ、前記コインを貯留することができ、かつ、前記コインの周面と線接触または点接触し、前記コイン受口の手前側または奥側方向へ指向して、１対の突条が複数設けられている、コイン誘導路と、
を備え、
前記コイン受口が前記鉛直面部と前記コイン誘導路との間に少なくとも１枚分のコインが落下するスリットで形成され、かつ、前記コイン誘導路が手前側または奥側から前記コイン受口に向かって上り勾配に形成されている、コイン投入器であって、
前記突条の先端の高さ位置が、前記コイン誘導路から前記コイン受口の設けられている方向に対し、垂直な断面において、左右対称に、かつ、中央から左右方向に向かうそれぞれの方向に高くなっており、
前記１対の突条が少なくとも径の異なる３種類のコインのいずれか１種類のコインの周面に接し、前記突条がいずれか１種類のコインの周面に接する場合、前記コインの周面は他の突条には接しないように、前記１対の突条が複数設けられている
ことを特徴とするコイン投入器。
【請求項２】
前記複数対の突条の先端は、中央において極小となるような放物線または該放物線に近似した曲線を母線とする凹面に位置していることを特徴とする請求項１記載のコイン投入器。
【請求項３】
前記コイン誘導路は、曲線を母線とする凹曲面を有しており、
前記複数対の突条は、前記凹曲面上に立設していることを請求項１または２記載のコイン投入器。
【請求項４】
少なくとも表示部と操作部とコインが投入されるコイン投入器とを備え、前記コイン投入器にコインを投入することによって所定のゲームが開始されるゲーム装置であって、
前記コイン投入器は、
径の異なるコインを投入するコイン受口と、
前記コイン受口内に通じ、上部の一部に突出部を有する鉛直面部と、
前記コイン受口の手前側または奥側に設けられ、前記コインを貯留することができ、かつ、前記コインの周面と線接触または点接触し、前記コイン受口の手前側または奥側方向へ指向して、１対の突条が複数設けられている、コイン誘導路と、
を備え、
前記コイン受口は前記鉛直面部と前記コイン誘導路との間に少なくとも１枚分のコインが落下するスリットが形成され、かつ、前記コイン誘導路が手前側または奥側から前記コイン受口に向かって上り勾配に形成されている、コイン投入器であって、
前記突条の先端の高さ位置が、前記コイン誘導路から前記コイン受口の設けられている方向に対し、垂直な断面において、左右対称に、かつ、中央から左右方向に向かうそれぞれの方向に高くなっており、
前記１対の突条が少なくとも径の異なる３種類のコインのいずれか１種類のコインの周面に接し、前記突条がいずれか１種類のコインの周面に接する場合、前記コインの周面は他の突条には接しないように、前記１対の突条が複数設けられている
ことを特徴とするコイン投入器を備えたゲーム装置。
【請求項５】
前記ゲーム装置は、
前記表示部の表示方向と前記コイン誘導路から前記コイン受口に向かう方向とが、略対向する方向になるように配置されていることを特徴とする請求項４記載のゲーム装置。
【手続補正２】
【補正対象書類名】明細書
【補正対象項目名】０００９
【補正方法】変更
【補正の内容】
【０００９】
請求項１記載の発明は、径の異なるコインを投入するコイン受口と、前記コイン受口内に通じ、上部の一部に突出部を有する鉛直面部と、前記コイン受口の手前側または奥側に設けられ、前記コインを貯留することができ、かつ、前記コインの周面と線接触または点接触し、前記コイン受口の手前側または奥側方向へ指向して、１対の突条が複数設けられている、コイン誘導路と、を備え、前記コイン受口が前記鉛直面部と前記コイン誘導路との間に少なくとも１枚分のコインが落下するスリットで形成され、かつ、前記コイン誘導路が手前側または奥側から前記コイン受口に向かって上り勾配に形成されている、コイン投入器であって、前記突条の先端の高さ位置が、前記コイン誘導路から前記コイン受口の設けられている方向に対し、垂直な断面において、左右対称に、かつ、中央から左右方向に向かうそれぞれの方向に高くなっており、前記１対の突条が少なくとも径の異なる３種類のコインのいずれか１種類のコインの周面に接し、前記突条がいずれか１種類のコインの周面に接する場合、前記コインの周面は他の突条には接しないように、前記１対の突条が複数設けられていることを特徴とするコイン投入器である。
【手続補正３】
【補正対象書類名】明細書
【補正対象項目名】００１０
【補正方法】変更
【補正の内容】
【００１０】
請求項２記載の発明は、前記複数対の突条の先端は、中央において極小となるような放物線または該放物線に近似した曲線を母線とする凹面に位置していることを特徴とする請求項１記載のコイン投入器である。
【手続補正４】
【補正対象書類名】明細書
【補正対象項目名】００１１
【補正方法】変更
【補正の内容】
【００１１】
請求項３記載の発明は、前記コイン誘導路は、曲線を母線とする凹曲面を有しており、前記複数対の突条は、前記凹曲面上に立設していることを請求項１または２記載のコイン投入器である。
【手続補正５】
【補正対象書類名】明細書
【補正対象項目名】００１２
【補正方法】変更
【補正の内容】
【００１２】
請求項４記載の発明は少なくとも表示部と操作部とコインが投入されるコイン投入器とを備え、前記コイン投入器にコインを投入することによって所定のゲームが開始されるゲーム装置であって、前記コイン投入器は、径の異なるコインを投入するコイン受口と、前記コイン受口内に通じ、上部の一部に突出部を有する鉛直面部と、前記コイン受口の手前側または奥側に設けられ、前記コインを貯留することができ、かつ、前記コインの周面と線接触または点接触し、前記コイン受口の手前側または奥側方向へ指向して、１対の突条が複数設けられている、コイン誘導路と、を備え、前記コイン受口は前記鉛直面部と前記コイン誘導路との間に少なくとも１枚分のコインが落下するスリットが形成され、かつ、前記コイン誘導路が手前側または奥側から前記コイン受口に向かって上り勾配に形成されている、コイン投入器であって、前記突条の先端の高さ位置が、前記コイン誘導路から前記コイン受口の設けられている方向に対し、垂直な断面において、左右対称に、かつ、中央から左右方向に向かうそれぞれの方向に高くなっており、前記１対の突条が少なくとも径の異なる３種類のコインのいずれか１種類のコインの周面に接し、前記突条がいずれか１種類のコインの周面に接する場合、前記コインの周面は他の突条には接しないように、前記１対の突条が複数設けられていることを特徴とするコイン投入器を備えたゲーム装置である。
【手続補正６】
【補正対象書類名】明細書
【補正対象項目名】００１３
【補正方法】変更
【補正の内容】
【００１３】
請求項５記載の発明は、前記ゲーム装置は、前記表示部の表示方向と前記コイン誘導路から前記コイン受口に向かう方向とが、略対向する方向になるように配置されていることを特徴とする請求項４記載のゲーム装置である。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００１９
【補正方法】変更
【補正の内容】
【００１９】
請求項１記載の発明では、少なくとも径の異なる３種類のコインのいずれか１種類のコインの周面が、複数対の突条の内のいずれか１対の突条に接し、他の突条に接しないため、投入しようとするコインは安定して当該１対の突条に支持されながら、コイン受口に誘導されて投入されることが可能となる。
【手続補正１８】
【補正対象書類名】明細書
【補正対象項目名】００２２
【補正方法】変更
【補正の内容】
【００２２】
請求項４記載の発明では、少なくとも径の異なる３種類のコインのいずれか１種類のコインの周面が、複数対の突条の内のいずれか１対の突条に接し、他の突条に接しないため、投入しようとするコインは安定して当該１対の突条に支持されながら、コイン受口に誘導されて、ゲーム装置が動作可能となる。
【手続補正１９】
【補正対象書類名】明細書
【補正対象項目名】００２３
【補正方法】変更
【補正の内容】
【００２３】
請求項５記載の発明では、ゲーム装置で、ゲームを行なっているプレーヤは、ゲーム画像を表示する表示部に正対しているので、その姿勢でかつその視線の方向に向いたまま、コインを手前側から奥側に容易にコインを移動させて、コインの投入を行なうことができる。